(57)【要約】【課題】  記録媒体を記録・再生する記録・再生装置において、構成が簡便であって、記録媒体を装置本体から取外す際に電気回路的な衝撃が与えられて、その記録媒体に記録されているデータが消失したり、記録媒体そのものが破損することが生じないことを目的とする。【解決手段】記録・再生装置１のケーシング２に記録媒体である半導体メモリ１０を収納する凹部３を設け、その凹部３の開口を開閉する蓋体４を開状態を取ると、記録・再生手段５に装着接続されている半導体メモリ１０の記録・再生を停止させ、その後に電力供給手段６からの駆動電力の供給が停止するように作動する停止手段７を備えて構成した。【選択図】  図１
2005190292.tif 000002
【特許請求の範囲】
【請求項１】
装置本体と、その装置本体に形成され、記録媒体を収納するための凹部と、その凹部の開口を閉塞する蓋体と、その凹部に収納されて装着接続される記録媒体にアクセスしてデータの記録及び再生を行う記録・再生手段と、装置を駆動するための電力を供給する電力供給手段と、前記蓋体が装置本体に対して開の状態になると、前記記録・再生手段に装着接続されている記録媒体の記録・再生を停止させた後に前記電力供給手段からの駆動電力の供給が停止するように作動する停止手段を備えて構成される記録・再生装置。
【請求項２】
停止手段が、蓋体が閉状態から開状態になることでＯＮ・ＯＦＦが切換わるスイッチと、そのスイッチからのＯＮ・ＯＦＦの切換えを示す信号に基づいて記録媒体の記録・再生を停止し得る記録・再生手段を備えて構成される請求項１に記載の記録・再生装置。
【発明の詳細な説明】
【技術分野】
【０００１】
この発明は、例えは半導体メモリといった記録媒体の記録・再生を行う記録・再生装置に関し、特に、装置に装着中の記録媒体のデータの消失、記録媒体の破損そのものの防止に関する。
【背景技術】
【０００２】
記録媒体が例えば半導体メモリであって、その記録媒体に記録・再生を行う記録・再生装置として、例えば、以下の特許文献で示されたものが知られている。
【０００３】
【特許文献１】特開平９−３１１８２７号公報
【発明の開示】
【発明が解決しようとする課題】
【０００４】
記録媒体に記録及び再生を行う記録・再生装置は、例えば書き込み中に電気回路的な衝撃が与えられるとデータが消失することがある。
そのデータの消失となる電気回路的な衝撃とは、例えば、記録媒体である半導体メモリに駆動電力を与えている際で、装置に装着した状態から半導体メモリを離脱する場合が挙げられる。
【０００５】
データは保存する必要があるから記録するのであるが、特開平９−３１１８２７号公報に示された発明は記録したデータを消失させないためにバックアップを行うという方法が取られている。
しかしながら、斯かる方法では、装置全体が大掛かりになるという問題があった。
【０００６】
又、記録媒体が半導体メモリでの場合では、電気回路的な衝撃によって記録されたデータの消失するという虞に加えて、半導体メモリそのものが破損するという問題があった。
殊に、半導体メモリは他の記録媒体に比して極めて高価であることより、破損という問題はより深刻なものであった。
【０００７】
この発明は、上記の事情に鑑みてなされたものであって、記録媒体を装置から取外す際にその記録媒体に電気回路的な衝撃が与えられることがなく、よって、その記録媒体に記録のデータが消失することがなく、又、記録媒体そのものが破損することのない記録・再生装置を提供するものである。
【課題を解決するための手段】
【０００８】
この発明は、装置に装着接続されている記録媒体を離脱させるために、記録媒体を収納している凹部の開口を閉塞する蓋体を開状態にすると、記録媒体への駆動電力の供給が停止するように構成した記録・再生装置である。
【０００９】
その詳細な構成は、装置本体と、その装置本体に形成され、記録媒体を収納するための凹部と、その凹部の開口を閉塞する蓋体と、その凹部に収納されて装着接続される記録媒体にアクセスしてデータの記録及び再生を行う記録・再生手段と、装置を駆動するための電力を供給する電力供給手段と、前記蓋体が装置本体に対して開の状態になると、前記記録・再生手段に装着接続されている記録媒体の記録・再生を停止させた後に前記電力供給手段からの駆動電力の供給が停止するように作動する停止手段を備えて構成される記録・再生装置である。
【００１０】
斯かる構成の記録・再生装置では、装置本体の凹部に収納された記録媒体を取出す際に蓋体を開の状態にするが、蓋体が開の状態を取ると停止手段が作動して、記録媒体の記録・再生を停止させた後に前記電力供給手段からの電力供給を停止させる。
【発明の効果】
【００１１】
この発明は、装置本体の凹部に収納の記録媒体を離脱するために、前記凹部の開口を閉塞する蓋体を開状態にすると、その記録媒体の記録・再生が終了するように構成したことにより、その記録媒体を装置本体から取外し際に電気回路的な衝撃が加わることがないからその記録媒体のデータが消失したり記録媒体そのものが破損するということがなく、又、データの消失や破損を簡便な構成で達成している記録・再生装置である。
【発明を実施するための最良の形態】
【００１２】
この発明を、図面と共に以下に詳述する実施例に基づいて説明する。しかし、この実施例によって、この発明が限定されるものではない。
【００１３】
記録・再生装置１は、図１〜図３に示すように、装置本体であるケーシング２と、凹部３と、蓋体４と、記録・再生手段５と、電力供給手段６と、停止手段７が備えられている。
【００１４】
ケーシング２は、ほぼ直方体の形状であって、フロントパネルには回転式スイッチ、押圧式スイッチ等が配されて操作部８になっている。又、フロントパネルのほぼ中央に表示パネル９が配設されている。
【００１５】
ケーシング２の前面には、記録媒体である半導体メモリ１０が収納されて記録・再生手段５と接続するための凹部３が形成されている。
凹部３の開口部（図示省略）は、半導体メモリ１０が凹部３に収納された状態で蓋体４によって閉塞される構造になっている。
【００１６】
蓋体４は、蝶番状にケーシング２に対して矢印Ａ方向に回転して、凹部３の前記開口部を開閉するものである。１１は、ケーシング２に枢支されて蓋体４の矢印Ａ方向の回転を支持するためのピンである。
【００１７】
記録・再生手段５は、ケーシング２に内蔵され、半導体メモリ１０が凹部３に収納されると装着接続の状態となってその半導体メモリ１０にアクセスしてデータの記録及び再生を行うものである。
記録・再生手段５は、ソケット１２と、ディジタル・シグナル・プロセッサ（以下、ＤＳＰと称する）１３と、中央演算手段（以下、ＣＰＵと称する）１４と、操作部８と、電力供給手段６と、入力端１５と、アナログ／デジタル変換器１６と、出力端１７と、ディジタル／アナログ変換器１８から主に構成されている。
【００１８】
ソケット１２は、凹部３の内部に配設され、半導体メモリ１０が装着されてＤＳＰ１３と接続させるものである。
【００１９】
ＣＰＵ１４は、操作部８からの制御を示す信号に基づき、ＤＳＰ１３に働き掛け、アナログ／デジタル変換器１６を介して入力端１５からの信号をソケット１２を介して半導体メモリ１０に送り、又、ソケット１２を介して半導体メモリ１０からのデータ信号を、ディジタル／アナログ変換器１８を介して出力端１７に送るように作用するものである。
尚、ＤＳＰ１３のこの作用の際、ＣＰＵ１４にその作用の経過を示す信号を送る。
【００２０】
電力供給手段６は、装置を駆動するための電力を供給するためのものであり、ソケット１２、ＤＳＰ１３、ＣＰＵ１４に駆動用の電力を供給している。
ここで、電力供給手段６からソケット１２への供給電力は、ソケット１２を介して半導体メモリ１０に供給されている。
【００２１】
停止手段７は、ケーシング２に対して蓋体４が開の状態になって、ソケット１２に装着接続されている半導体メモリ１０が離脱可能な状態になると、半導体メモリ１０が記録・再生を停止するように作動するものである。
停止手段７は更に、半導体メモリ１０が記録・再生を停止した後に、電力供給手段６が半導体メモリ６へ駆動電力を供給することを停止するように作動するものである。
【００２２】
停止手段７は、蓋体４の閉状態から開状態になることでＯＮからＯＦＦに切換わるスイッチ１９と、そのスイッチ１９からのＯＦＦの信号に基づいて半導体メモリ１０の記録・再生を停止するようにＤＳＰ１３に制御信号を送るＣＰＵ１４と、電力供給手段６からソケット１２への駆動電力の供給を停止するためのスイッチ２０と、蓋体４の内側に付設され、蓋体４が閉状態になるとスイッチ１９の操作棒２１に当接してスイッチ１９をＯＮとさせ、且つ、蓋体４が開状態になるとスイッチ１９の操作棒２１から離隔してスイッチ１９をＯＦＦとさせる押圧片２２から主に構成されている。
【００２３】
尚、停止手段７におけるＣＰＵ１４は、電力供給手段６からの駆動電力をＯＦＦにする旨をスイッチ１９から受けると、半導体メモリ１０のファイルの開状態を終了させるようにＤＳＰ１３に制御信号を送り、その後、電力供給手段６からの駆動電力をＯＦＦするための制御信号をスイッチ２０に送るように構成されている。
【００２４】
記録・再生装置１は、上述したように構成されている。以下において、記録・再生装置１の機能を説明する。
【００２５】
使用者は、蓋体４を矢印Ａ方向に回転して開状態としてから、装置本体２の凹部３に配設されたソケット１２に半導体メモリ１０を装着する。ここで、半導体メモリ１０は、ソケット１２と電気的に接続する。
【００２６】
使用者は、続いて、操作部８を操作して、記録・再生装置１を作動させる。
つまり、メイン電源をＯＮにして装置全体に駆動電力を供給し、所望により半導体メモリ１０に新たなデータを記録する際は、入力端１５をデータの供給ソースを接続した後に操作部８によって記録（書込み）のための操作を行う。
ここで、ＣＰＵ１４は操作部８からの制御信号を受けて、Ａ／Ｄ変換器１６を介して入力端１５から入力したデータをソケット１２を介して半導体メモリ１０に送って記録するための制御信号をＤＳＰ１３に送る。
【００２７】
ＤＳＰ１３は、ＣＰＵ１４からの制御信号に従って、入力端１５からＡ／Ｄ変換器１６を介して入力されたデータをソケット１２を介して半導体メモリ１０に送り、半導体メモリ１０にそのデータを記録（書込み）させる。
【００２８】
他方、所望により半導体メモリ１０からデータを再生（読出し）する際は、出力端１７を例えば音響増幅装置に接続した後、操作部８によって再生のための操作を行う。
ここで、ＣＰＵ１４は操作部８からの制御信号を受けて、ソケット１２を介して半導体メモリ１０に記録されているデータを読出しＤ／Ａ変換器１８を介して出力端１７から出力するための制御信号をＤＳＰ１３に送る。
【００２９】
ＤＳＰ１３は、ＣＰＵ１４からの制御信号に従って、半導体メモリ１０に記録されているデータをソケット１２を介して読出し、続いてＤ／Ａ変換器１８を介して出力端１７から出力させる。
【００３０】
記録・再生装置１の上述した操作の途中、或いは、操作を終了してから、記録・再生装置１から半導体メモリ１０を取出す場合、つまり、装着状態の半導体メモリ１０をソケット１２から離脱させる場合は、まず操作者がケーシング２に対して蓋体４を手前矢印Ａ方向に回転して開く。
ここで、停止手段７が作動する。つまり、蓋体４の内側壁に付設された押圧片２２はスイッチ１９の操作棒２１への押圧状態を解除し、スイッチ１９はＯＮからＯＦＦの状態に切替わる。
【００３１】
スイッチ１９がこのＯＮからＯＦＦの状態に切替わった旨をＣＰＵ１４に信号で送ると、ＣＰＵ１４はスイッチ１９からの信号に基づき、半導体メモリ１０のファイルの開状態を終了させるようにＤＳＰ１３に制御信号を送る。
ここで、ＤＳＰ１３はＣＰＵ１３からの制御信号に基づいて、半導体メモリ１０のファイルを閉じてアクセス停止の状態にさせる。
【００３２】
ＣＰＵ１４は、ＤＳＰ１３に半導体メモリ１０がアクセス停止の制御信号で送って半導体メモリ１０がアクセス停止の状態になった旨の確認の信号を受けると、次に、電力供給手段６からの駆動電力をＯＦＦするための制御信号をスイッチ２０に送る。
ここで、半導体メモリ１０には、電力供給手段６から駆動のための電力の供給が停止される。
よって、半導体メモリ１０は、ファイルが正常に閉じた状態になってから駆動電力の供給受けが停止するから、正常な状態で停止することになる。
【００３３】
ここで、操作者は、駆動電力の供給受けが停止になった状態の半導体メモリ１０をソケット１２から離脱する。
この離脱させる際、半導体メモリ１０は電力供給手段６から駆動電力の供給受けが正常な状態で停止しているので、電力供給手段６が半導体メモリ１０に電気回路的な衝撃を与えることはない。
従って、停止手段７の作動により、半導体メモリ１０をソケット１２から離脱しても半導体メモリ１０に記録されたデータが消失したり、半導体メモリ１０そのものが破損するといった事態が生じることはない。
【００３４】
又、記録・再生装置１は、蓋体４、ＤＳＰ１３、ＣＰＵ１４、スイッチ１９，２０、押圧片２２から主に構成される停止手段７を備えるという簡便な構成によって、半導体メモリ６の離脱に伴うデータの消失及び半導体メモリ６そのものの破損の防止が確保されている。
【００３５】
記録・再生装置１では記録媒体として半導体メモリ６を挙げているが、他に、円盤状の磁気記録媒体、光磁気ディスク等であってもよい。
記録・再生装置１は据え置きタイプであるが携帯タイプでもよく、又、蓋体４の開状態で停止手段７が作動する旨を表示パネル９に表示させる構成を付加してもよい。
【００３６】
記録・再生装置１は、停止手段７が蓋体４が開状態になるとスイッチ１９がＯＮからＯＦＦに切換わることによって作動するが、停止手段７が蓋体４が開状態になるとＯＦＦからＯＮに切換わる構成でもよく、斯かる構成ではスイッチ１９とＣＰＵ１４の間にＮＯＴ回路を介在させるとよい。
【図面の簡単な説明】
【００３７】
【図１】この発明の実施の形態例の記録・再生手段及び停止手段の機能構成を説明するブロック図である。
【図２】図１に示す実施の形態例の外観全体を示す斜視図である。
【図３】図２の要部Ｘ−Ｘ断面図である。
【符号の説明】
【００３８】
１            ：  記録・再生装置
２            ：  装置本体としてのケーシング
３            ：  凹部
４            ：  蓋体
５            ：  記録・再生手段
６            ：  電力供給手段
７            ：  停止手段
１０          ：  記録媒体としての半導体メモリ
１３          ：  ＤＳＰ
１４          ：  ＣＰＵ
１９，２０    ：  スイッチ
２２          ：  押圧片
【図１】
2005190292.tif 000003
【図２】
2005190292.tif 000004
【図３】
2005190292.tif 000005
【手続補正書】
【提出日】平成16年1月5日(2004.1.5)
【手続補正１】
【補正対象書類名】明細書
【補正対象項目名】００２２
【補正方法】変更
【補正の内容】
【００２２】
停止手段７は、蓋体４の閉状態から開状態になることでＯＮからＯＦＦに切換わるスイッチ１９と、そのスイッチ１９からのＯＦＦの信号に基づいて半導体メモリ１０の記録・再生を停止するようにＤＳＰ１３に制御信号を送るＣＰＵ１４と、電力供給手段６からソケット１２への駆動電力の供給を停止するためのスイッチ２０と、蓋体４の内側に付設され、蓋体４が閉状態になるとスイッチ１９の操作棒２１に当接して（図３の矢印Ｂ方向の移動でフェザータッチ）スイッチ１９をＯＮとさせ、且つ、蓋体４が開状態になるとスイッチ１９の操作棒２１から離隔してスイッチ１９をＯＦＦとさせる押圧片２２から主に構成されている。
【手続補正２】
【補正対象書類名】図面
【補正対象項目名】図１
【補正方法】変更
【補正の内容】
【図１】
2005190292.tif 000006
【手続補正３】
【補正対象書類名】図面
【補正対象項目名】図２
【補正方法】変更
【補正の内容】
【図２】
2005190292.tif 000007